【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】
搬送方向に搬送される記録媒体を上部で支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記プラテンは、前記記録ヘッドに対向する第一対向面と、前記照射部に対向する第二対向面とによって段状に形成されていることを特徴とするインクジェット記録装置。
【請求項２】
請求項１記載のインクジェット記録装置において、
前記第二対向面は前記第一対向面よりも上方に位置することを特徴とするインクジェット記録装置。
【請求項３】
請求項２記載のインクジェット記録装置において、
前記第二対向面に支持された部分の前記記録媒体の表面は、前記インク吐出口よりも上方に位置することを特徴とするインクジェット記録装置。
【請求項４】
搬送方向に搬送される記録媒体を上部で支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記プラテンは、前記記録ヘッドに対向する第一対向面と、前記搬送方向の上流側から下流側に向かって前記照射部との距離が大きくなるように傾斜してこの照射部に対向する第三対向面とを有することを特徴とするインクジェット記録装置。
【請求項５】
請求項４記載のインクジェット記録装置において、
前記記録ヘッド及び前記照射部は、前記搬送方向に互いに隣り合って複数設けられており、
前記第三対向面は、前記複数の照射部のうち、前記複数の記録ヘッドの何れよりも前記搬送方向の下流側に配置された下流側照射部のみに対向して設けられていることを特徴とするインクジェット記録装置。
【請求項６】
搬送方向に搬送される記録媒体を上部で支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記照射部に対向する部分の前記プラテンの断面形状が弧状に凹んだ曲面状となる形状を有していることを特徴とするインクジェット記録装置。
【請求項７】
搬送方向に搬送される記録媒体を上部に支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記照射部は、前記インク吐出口からインクが吐出される方向よりも前記搬送方向の下流側に向かって光を照射することを特徴とするインクジェット記録装置。
【請求項８】
請求項７記載のインクジェット記録装置において、
前記記録ヘッド及び前記照射部は、前記搬送方向に互いに隣り合って複数設けられており、
前記複数の照射部のうち、前記複数の記録ヘッドの何れよりも前記搬送方向の下流側に配置された下流側照射部のみが、前記搬送方向の下流側に向かって光を照射し、
前記複数の照射部のうち、前記下流側照射部以外の照射部は、前記記録媒体
とほぼ垂直に光を照射することを特徴とするインクジェット記録装置。
【請求項９】
請求項１〜８の何れか一項に記載のインクジェット記録装置において、
前記照射部は、蛍光管、レーザー、ＬＥＤ及び電子線照射装置のうちの何れか１つであることを特徴とするインクジェット記録装置。
【請求項１０】
請求項１〜９の何れか一項に記載のインクジェット記録装置において、
前記インクは紫外線硬化性のインクであり、
前記照射部は、紫外線を照射することを特徴とするインクジェット記録装置。
【請求項１１】
請求項１〜１０の何れか一項に記載のインクジェット記録装置において、
前記インクは、カチオン重合系のインクであることを特徴とするインクジェット記録装置。
【手続補正２】
【補正対象書類名】明細書
【補正対象項目名】０００６
【補正方法】変更
【補正の内容】
【０００６】
【課題を解決するための手段】
請求項１記載の発明は、搬送方向に搬送される記録媒体を上部で支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記プラテンは、前記記録ヘッドに対向する第一対向面と、前記照射部に対向する第二対向面とによって段状に形成されていることを特徴とする。
【手続補正３】
【補正対象書類名】明細書
【補正対象項目名】０００７
【補正方法】変更
【補正の内容】
【０００７】
請求項１記載の発明によれば、記録ヘッドに対向する第一対向面と照射部に対向する第二対向面とによってプラテンが段状に形成されているので、このプラテンに支持される記録媒体は、第一対向面に支持される部分の記録媒体（以下、第一部分の記録媒体とする）と第二対向面に支持される部分の記録媒体（以下、第二部分の記録媒体とする）とで段状となる。従って、照射部から照射され記録媒体の表面で反射する光がインク吐出口に当たることを、以下のように防止することができる。
即ち、第一対向面が第二対向面よりも上方に位置する場合には、第二部分の記録媒体の表面で反射し第二対向面よりも搬送方向の上流側、つまりインク吐出口の側に向かう光を、第一部分の記録媒体と第二部分の記録媒体との間に形成される立上り部分の記録媒体によって遮ることができる。従って、照射部から照射され第二部分の記録媒体の表面で反射する光がインク吐出口に当たることを防止することができる。なお、記録ヘッドが照射部より搬送方向の下流側にも設けられている場合には、下流側の記録ヘッドのインク吐出口に対しても同様の効果を得ることができる。
また、第二対向面が第一対向面よりも上方に位置する場合には、照射部から搬送方向の上流側に向かって照射される光を、第二部分の記録媒体における第一対向面側の縁部によって反射させ、第一部分の記録媒体に当たらないようにすることができる。従って、照射部から照射された光が第一部分の記録媒体の表面で反射することを防止することができる分、この第一部分の記録媒体に対向して配置されたインク吐出口に対して記録媒体の表面からの反射光が当たることを防止することができる。なお、記録ヘッドが照射部より搬送方向の下流側にも設けられている場合には、下流側の記録ヘッドのインク吐出口に対しても同様の効果を得ることができる。
よって、従来と異なり、インク吐出口に付着した光硬化性のインク（以下、吐出口付着インクとする）が記録媒体の表面からの反射光を受けて硬化してしまうことを防止することができるため、硬化するインクによりインク吐出口を塞ぐことなく、記録媒体の表面に確実に画像を記録することができる。
なお、プラテンには、記録媒体を吸引するための吸引機構が設けられていることが好ましい。プラテンをこのような構成とすることにより、記録媒体がプラテンから離間するのを防止することができるため、記録媒体の表面に正確にインクを着弾させ光を照射することができる。
【手続補正４】
【補正対象書類名】明細書
【補正対象項目名】００１２
【補正方法】変更
【補正の内容】
【００１２】
請求項４記載の発明は、搬送方向に搬送される記録媒体を上部で支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記プラテンは、前記記録ヘッドに対向する第一対向面と、前記搬送方向の上流側から下流側に向かって前記照射部との距離が大きくなるように傾斜してこの照射部に対向する第三対向面とを有することを特徴とする。
【手続補正５】
【補正対象書類名】明細書
【補正対象項目名】００１６
【補正方法】変更
【補正の内容】
【００１６】
請求項６記載の発明は、搬送方向に搬送される記録媒体を上部で支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記照射部に対向する部分の前記プラテンの断面形状が弧状に凹んだ曲面状となる形状を有していることを特徴とする。
【手続補正６】
【補正対象書類名】明細書
【補正対象項目名】００１７
【補正方法】変更
【補正の内容】
【００１７】
請求項６記載の発明によれば、照射部に対向する部分（以下、第四対向面とする）のプラテンの断面形状が弧状に凹んだ曲面状となる形状を有しているので、この第四対向面に支持される部分の記録媒体（以下、第四部分の記録媒体とする）は、第四対向面の内周面に沿って凹んだ形状となる。即ち、第四部分の記録媒体の表面は、照射部から照射された光を第四対向面よりも搬送方向の上流側及び下流側には反射させ難い状態となる。従って、従来と異なり、照射部から照射され第四部分の記録媒体の表面で反射する光を受けて吐出口付着インクが硬化してしまうことを防止することができるため、硬化するインクによりインク吐出口を塞ぐことなく、記録媒体の表面に確実に画像を記録することができる。
なお、プラテンには、記録媒体を吸引するための吸引機構が設けられていることが好ましい。プラテンをこのような構成とすることにより、記録媒体がプラテンから離間するのを防止することができるため、記録媒体の表面に正確にインクを着弾させ光を照射することができる。
【手続補正７】
【補正対象書類名】明細書
【補正対象項目名】００１８
【補正方法】変更
【補正の内容】
【００１８】
請求項７記載の発明は、搬送方向に搬送される記録媒体を上部に支持するプラテンと、
このプラテンに支持された前記記録媒体に向かって光硬化性のインクを吐出する複数のインク吐出口が配設されたライン型の記録ヘッドと、
この記録ヘッドよりも前記搬送方向の下流側に配置され、前記記録媒体に着弾したインクに光を照射する照射部とを備えるインクジェット記録装置において、
前記照射部は、前記インク吐出口からインクが吐出される方向よりも前記搬送方向の下流側に向かって光を照射することを特徴とする。